(57)【要約】【課題】安全性を確保しながらコンパクト化を実現した炊飯器を提供する。【解決手段】上枠３の上面開口部３ａを開閉する蓋体１２と、炊飯器本体１に着脱自在に収納される内鍋４と、上枠３の下方に位置し内鍋４内の調理物を加熱する底誘導加熱コイル６を備えた保護枠５と、底誘導加熱コイル６を制御する制御基板１８を設置する基板ベース１９とを備え、基板ベース１９は、上枠３の直ぐ下方に位置すると共に制御基板１８の上面全体を覆う水受け部２７とを備え、水受け部２７に溜まった水を前記制御基板１８の下方に導くようにし、かつ、基板ベース１９の制御基板設置面が略鉛直方向となるように設置するもので、上枠３と制御基板１８の間に保護枠５が介在しないため、低コストでコンパクト化を実現でき、また、上枠３にクラックが発生し炊飯器本体１内部に水が侵入しても、水が制御基板１８の下方に導かれ、制御基板１８に水が付着することがない。【選択図】図１
2011218069.tif 000002
【特許請求の範囲】
【請求項１】
炊飯器本体と、前記炊飯器本体の上面開口部を形成した上枠と、前記炊飯器本体の上部を形成すると共に前記上面開口部を自在に開閉する蓋体と、前記炊飯器本体に着脱自在に収納される内鍋と、前記上枠の下方に位置し前記内鍋内の調理物を加熱するための加熱手段を備えた保護枠と、前記加熱手段を制御する制御装置を備えた制御基板と、前記制御基板を設置する基板ベースとを備え、前記基板ベースは、前記上枠の直ぐ下方に位置すると共に前記制御基板の上面全体を覆う水受け部と、前記水受け部に溜まった水を前記制御基板の下方に導く排水構成とを備え、前記基板ベースの制御基板設置面が略鉛直方向となるように前記炊飯器本体に設置することを特徴とする炊飯器。
【請求項２】
排水構成を、水受け部を基板ベースの背面側を下方とする傾斜面で構成した請求項１に記載の炊飯器。
【請求項３】
排水構成を、水受け部を基板ベースの側面側を下方とする傾斜面で構成した請求項１記載の炊飯器。
【請求項４】
基板ベースを、難燃性樹脂または難燃性部材で形成することを特徴とする請求項１〜３のいずれか１項に記載の炊飯器。
【発明の詳細な説明】
【技術分野】
【０００１】
本発明は、一般家庭、あるいは業務用に使用する炊飯器に関するものである。
【背景技術】
【０００２】
従来、この種の炊飯器は、炊飯器本体をコンパクト化するために、炊飯器本体内の制御基板等の構造部品を、後方下部に纏めて設置している（例えば、特許文献１参照）。
【０００３】
上記特許文献１に記載された従来の炊飯器は、本体外郭を構成する上枠と、上枠の後方部下方に、まず、内鍋の加熱手段である底誘導加熱コイルが付属する難燃性部材で構成された保護枠を設置し、更に保護枠の下方に、底誘導加熱コイルを制御する制御基板をその部品面及び半田面が略鉛直方向になるように設置し、その下方に、制御基板を冷却するためのヒートシンクと、モータファンを設置したものである。この構成をとることにより、炊飯器本体内の前方部及び幅方向部に構造部品が無いため、見た目にもすっきりとしたデザイン性を有したコンパクトな炊飯器を実現している。
【０００４】
また、上記構成は、炊飯器本体の安全性も配慮されており、制御基板の上方の上枠に製品の落下等の異常事態でクラックが発生した場合を想定したもので、前記クラック部から水が炊飯器本体内部に浸入した場合にも、保護枠が制御基板の上方を覆うように構成されているので、制御基板に水が付着することを防止することができる。
【０００５】
更には、部品面及び半田面が略鉛直方向になるように制御基板を設置する構成は、上枠だけでなく制御基板上方の保護枠にもクラックが発生した場合を想定したもので、前記クラック部から水が制御基板に浸入してきた場合においても、侵入してきた水が制御基板上に停滞することなく、下方に流れ落ちるように配慮し構成しているもので、制御基板上の大電流部のショートの可能性を少なくする構成である。更には、保護枠を難燃性部材で構成することは、制御基板が破損し、発火した場合を想定したもので、保護枠が炎の障壁となり炊飯器の拡大延焼を防止するものである。
【０００６】
以上のように、上記特許文献１に記載された従来の炊飯器は、製品のコンパクト化と安全性を有する構成である。
【０００７】
また、炊飯器の内鍋収納部の下方に基板等の構造部品を設置しているものある（例えば、特許文献２参照）。
【０００８】
上記特許文献２に記載された従来の炊飯器は、底センサーセット用の貫通穴、ネジ締め用の穴等の複数個の穴を底面に有する内鍋収納部と、内鍋収納部の下方に内鍋収納部の底面と対向する面に水受け部と水流し部を有する基板ベースと、基板ベースの水受け部と水流し部を有する面の背面に制御基板の部品面及び半田面が略水平方向になるように設置したものである。
【０００９】
この構成をとることにより、炊飯器本体の左右方向部に構造部品が無いため、見た目にもすっきりとしたデザイン性を有したコンパクトな炊飯器を実現している。
【００１０】
また、基板ベースの水受け部と水流し部の構成は、内鍋収納部の下方に水が浸入した場合を想定したもので、内鍋収納部の下方に水が浸入した場合においても、制御基板に水が付着することを防止するものである。
【００１１】
以上のように、特許文献２に記載された従来の炊飯器は、製品のコンパクト化と安全性を有する構成である。
【先行技術文献】
【特許文献】
【００１２】
【特許文献１】特開平１１−５６６０６号公報
【特許文献２】特開２００７−３１２８４５号公報
【発明の概要】
【発明が解決しようとする課題】
【００１３】
しかしながら、前記特許文献１に記載された従来の炊飯器の構成では、保護枠は、その前方部に内鍋を加熱するための誘導加熱コイルを有し、その後方部には制御基板を設置する構成とその制御基板を設置する構成の直ぐ上方に制御基板に水が付着するのを防止する水受け構成を備えており、炊飯器本体の中層部を全域に跨る大きな部品であるため、成形時の反り対策（反り対策リブの配設、基本肉厚の増加）を講じていた。
【００１４】
更には、炊飯器の下層部を構成するボディと直接ネジ締め構成で連結しているため、製品の落下時に、ボディが床面から受ける衝撃を受けやすい部品でもあり、落下時の衝撃対策（連結ボスの補強、基本肉厚増加）を講じてしていた。
【００１５】
更には、底誘導加熱コイルの電気絶縁性、制御基板の難燃性の両方を確保する必要があり、一般樹脂材料より材料単価の高い材料で形成されていた。
【００１６】
上記理由で、保護枠は、部品体積および重量が大きく、また、材料費も高い部品であるという課題を有していた。
【００１７】
更には、上述のように保護枠が下方からの衝撃を受けやすい部品であったため、保護枠に設置した制御基板に衝撃が伝わり破損してしまうことがないようにするため、下方からの衝撃対策として、保護枠と制御基板との鉛直方向の隙間を、上方から落下により発生する反力対策として制御基板を設置する部位近傍の保護枠と上枠の鉛直方向の隙間を設ける必要性があったため、炊飯器本体の高さ方向が増加してしまい、炊飯器本体のコンパクト化ができないという課題を有していた。
【００１８】
さらに、上記特許文献２に記載された従来の炊飯器の構成では、内鍋収納部の下方に制御基板等の構成部品を設置するため、前記特許文献１に記載された従来の炊飯器の構成と同様に、製品の高さ方向のコンパクト化ができないという課題を有していた。
【００１９】
更には、内鍋収納部の底面に下方に底センサーセット用の貫通穴、ネジ締め用の穴等の複数個の穴を有するため、誤って内鍋内の米や水を内鍋収納部に溢してしまうと、内鍋収納部の下方に容易に水が浸入すると共に、制御基板の部品面及び半田面が略水平方向になるように構成されているため、製品の落下等の異常事態で基板ベースの水受け部と水流し部にクラックが発生した場合においては、基板ベースのクラックから侵入した水が制御基板上に停滞してしまい、制御基板の大電流部をショートしてしまう可能性が高い構成であった。
【００２０】
更には、前述のように制御基板の大電流部がショートし、制御基板が破損し、その結果として制御基板が発火した場合においても、基板ベースが難燃性部材で構成されていないため、炊飯器への拡大延焼を引き起こす可能性がある構成であった。
【００２１】
以上のような理由で、特許文献２に記載された従来の炊飯器の構成では、異常事態の安
全性に課題を有していた。
【００２２】
本発明は、上記従来の課題を解決するもので、炊飯器本体の安全性を確保しながら、炊飯器本体のコストを削減し、コンパクト化を実現した炊飯器を提供することを目的とする。
【課題を解決するための手段】
【００２３】
前記従来の課題を解決するために、本発明の炊飯器は、炊飯器本体と、前記炊飯器本体の上面開口部を形成した上枠と、前記炊飯器本体の上部を形成すると共に前記上面開口部を自在に開閉する蓋体と、前記炊飯器本体に着脱自在に収納される内鍋と、前記上枠の下方に位置し前記内鍋内の調理物を加熱するための加熱手段を備えた保護枠と、前記加熱手段を制御する制御装置を備えた制御基板と、前記制御基板を設置する基板ベースとを備え、前記基板ベースは、前記上枠の直ぐ下方に位置すると共に前記制御基板の上面全体を覆う水受け部と、前記水受け部に溜まった水を前記制御基板の下方に導く排水構成とを備え、前記基板ベースの制御基板設置面が略鉛直方向となるように前記炊飯器本体に設置するもので、上枠と制御基板の間に保護枠が介在しないため、保護枠の体積減少によるコスト削減および炊飯器本体の高さ方向のスペースを詰めることができ、炊飯器本体のコンパクト化を実現することができる。同時に、制御基板上方の上枠にクラックが発生し、炊飯器本体内部に水が侵入した場合において、基板ベースに水受け、排水構成を設けているため、制御基板に水が付着することがなく、安全性を損なうこともない。以上のように、炊飯器本体の安全性を確保した状態で炊飯器本体のコスト削減およびコンパクト化を実現することができる。
【発明の効果】
【００２４】
本発明の炊飯器は、炊飯器本体の安全性を確保しながら、低コストで、製品のコンパクト化を実現することができる。
【図面の簡単な説明】
【００２５】
【図１】本発明の実施の形態１における炊飯器の断面図
【図２】同炊飯器の制御基板を設置した状態の基板ベースを示す要部断面図
【図３】同炊飯器の基板ベースを背面から視た斜視図
【図４】（ａ）同炊飯器の基板ベースの爪部穴の外周に位置する排水ガイドリブを示す要部斜視図、（ｂ）同基板ベースのフック部穴の外周に位置する排水ガイドリブを示す要部斜視図
【図５】同炊飯器のボディを外した状態の下面図
【図６】本発明に第２の実施の形態における炊飯器の基板ベースを背面から視た斜視図
【発明を実施するための形態】
【００２６】
第１の発明は、炊飯器本体と、前記炊飯器本体の上面開口部を形成した上枠と、前記炊飯器本体の上部を形成すると共に前記上面開口部を自在に開閉する蓋体と、前記炊飯器本体に着脱自在に収納される内鍋と、前記上枠の下方に位置し前記内鍋内の調理物を加熱するための加熱手段を備えた保護枠と、前記加熱手段を制御する制御装置を備えた制御基板と、前記制御基板を設置する基板ベースとを備え、前記基板ベースは、前記上枠の直ぐ下方に位置すると共に前記制御基板の上面全体を覆う水受け部と、前記水受け部に溜まった水を前記制御基板の下方に導く排水構成とを備え、前記基板ベースの制御基板設置面が略鉛直方向となるように前記炊飯器本体に設置するもので、上枠と制御基板の間に保護枠が介在しないため、保護枠の体積減少によるコスト削減および炊飯器本体の高さ方向のスペースを詰めることができ、炊飯器本体のコンパクト化を実現することができる。同時に、制御基板上方の上枠にクラックが発生し、炊飯器本体内部に水が侵入した場合において、
基板ベースに水受け、排水構成を設けているため、制御基板に水が付着することがなく、安全性を損なうこともない。以上のように、炊飯器本体の安全性を確保した状態で炊飯器本体のコスト削減およびコンパクト化を実現することができる。
【００２７】
第２の発明は、特に、第１の発明の排水構成を、水受け部を基板ベースの背面側を下方とする傾斜面で構成したもので、制御基板上方の上枠にクラックが発生し、浸入した水の流路を基板ベースの背面の外側に限定することができ、制御基板に水が付着すること防止できるとともに、炊飯器本体内部に設置する制御基板の以外の充電部（例えば、電池基板）を基板ベースの側面の外側のスペースに設置することができるため、炊飯器本体の前後方向の大きさを詰めることができ、炊飯器本体のコンパクト化を実現できる。
【００２８】
第３の発明は、特に、第１の発明の排水構成を、水受け部を基板ベースの側面側を下方とする傾斜面で構成したもので、制御基板上方の上枠にクラックが発生し、浸入した水の流路を基板ベースの側面側に限定することができ、制御基板に水が付着すること防止できるとともに、炊飯器本体内部に設置する制御基板の以外の充電部（例えば、電池基板）を基板ベースの背面の外側のスペースに設置することができるため、炊飯器本体の左右方向の大きさを詰めることができ、製品のコンパクト化を実現できる。
【００２９】
第４の発明は、特に、第１〜３のいずれか１項に記載の基板ベースを、難燃性樹脂または難燃性部材で形成するもので、制御基板が発火した場合に炊飯器本体への拡大延焼を防止することができる。
【００３０】
以下、本発明の実施の形態について、図面を参照しながら説明する。なお、この実施の形態によって本発明が限定されるものではない。
【００３１】
（実施の形態１）
図１は、本発明の実施の形態１における炊飯器の断面図、図２は、同炊飯器の制御基板を設置した状態の基板ベースを示す要部断面図、図３は、同炊飯器の基板ベースを背面から視た斜視図、図４（ａ）は、同炊飯器の基板ベースの爪部穴の外周に位置する排水ガイドリブを示す要部斜視図、図４（ｂ）は、同基板ベースのフック部穴の外周に位置する排水ガイドリブを示す要部斜視図、図５は、同炊飯器のボディを外した状態の下面図である。
【００３２】
図１において、本実施の形態における炊飯器の炊飯器本体１は、ボディ２及び上面開口部３ａを有する上枠３から構成されており、その内部に、内鍋４を収納する保護枠５を設け、保護枠５の下方には、内鍋４を加熱する内鍋加熱手段である底誘導加熱コイル６と、内鍋４の温度を検知する内鍋温度検知手段である底センサー７を設置している。保護枠５の下方をボディ２とネジ締め構成で連結し、上方を上枠３とネジ締め構成で連結している。
【００３３】
保護枠５の炊飯器本体１での構成領域は、内鍋４の下方とボディ２および上枠３との連結部近傍でとどまり、炊飯器本体１の後方部まで至っていない。内鍋４は、上枠３に設置している上枠キャップ８により支持され、底誘導加熱コイル６との距離を保っている。内鍋４の側面部には、内鍋４の側面を加熱する内鍋側面部加熱手段である側面誘導加熱コイル９を設置している。
【００３４】
１２は、炊飯器本体１の上部を形成すると共に上枠３の上面開口部３ａを自在に開閉する蓋体で、蓋体１２が閉じている状態では、フックレバー１０により炊飯器本体１に支持されている。蓋体１２の下部には、蓋加熱板１１を設置し、内部には、蓋１２を加熱する蓋加熱板加熱手段である蓋誘導加熱コイル１４と、蓋温度検知手段である蓋センサー１３
を、上部には、炊飯器本体１の入力装置である操作部４０をそれぞれ配設している。
【００３５】
蓋加熱板１１には、内鍋フランジ部１５と当接する内鍋シールパッキン１６を設置し、内鍋４内の調理物１７が加熱されることにより発生する蒸気等が漏れないようシールしている。１８は、底センサー７、蓋センサー１３の温度情報を基に各加熱手段への電流供給量を制御し、内鍋４への加熱量を調整する制御装置（図示せず）を備えた制御基板であり、この制御基板１８より発せられる信号を基に、内鍋４内の調理物１７を、炊飯及び保温を行っている。なお、調理物１７とは、炊飯前の米と水又は炊き上がったご飯等である。なお、各加熱手段は、ヒーターであっても良い。
【００３６】
図１、２に示すように、基板ベース１９は、難燃性部材で成形され、１面が開口した角柱形状であり、開口面が略鉛直面となるように炊飯器本体１の後方の上枠３の直ぐ下方に保護枠５とネジ２０で固定されている。制御基板１８は、半田面側２１が、基板ベース１９の制御基板設置面２２と対向するように設置されている。また、制御基板１８の半田面側２１と基板ベース１９との間には、一定の空間２３が設けられており、この空間２３は、制御基板１８に載せられた基板部品のリード端子（図示せず）やパターン（図示せず）と基板ベース１９が直接接触するのを防止する役割を果たしている。
【００３７】
制御基板１８の設置は、制御基板１８が、基板ベース１９の制御基板設置面２２に浮き等なく確実に固定するために、爪嵌合、フックへの引っ掛け、ネジ固定等で確実に固定している。前記構成は、水の付着、基板割れ等の異常事態により制御基板１８が発火した場合においても、制御基板１８の半田面側２１から炊飯器本体１への拡大延焼を防止する意図で取られている。
【００３８】
また、制御基板１８は、その下方に基板部品を冷却するためのヒートシンク２４と、ヒートシンク２４の直ぐ下方に炊飯器本体１の外部の空気を炊飯器本体１内部に送り込むためのファンモータ２５を備えている。ファンモータ２５の回転を制御する制御基板２６は、ファンモータ２５の略中央部に設けられている。
【００３９】
以上のように、制御基板１８、基板ベース１９、ヒートシンク２４、ファンモータ２６は、一体に纏まった状態で炊飯器本体１の後方部に設置されている。
【００４０】
基板ベース１９の上部には、制御基板１８の上面を覆う水受け部２７を設けている。この水受け部２７は、基板ベース１９の背面側（炊飯器本体１の前側）を下方とする傾斜面で構成され、基板ベース１９の背面方向以外の水受け部２７の外周部に凸リブ２８を配設している。
【００４１】
図３に示すように、基板ベース１９の背面には、成形時の反り対策で複数の格子状のリブ２９が同一面で配設されている。ファンモータ２５の制御基板２６の上方には、格子状のリブ２９より突出した排水ガイドリブ３０が２個設けられている。
【００４２】
また、図４（ａ）、（ｂ）に示すように制御基板１８の固定のために設けられている爪部（図示せず）とフック部（図示せず）の背面に成形金型構成により発生する穴３１の外周部にも、下方が開口すると共に格子状のリブ２９より突出した排水ガイドリブ３２が設けられている。また、排水ガイドリブ３２の下端は、穴３１の下端よりも下方となるように配設されている。
【００４３】
また、図５に示すように、内鍋加熱手段である底誘導加熱コイル６と制御基板１８の接続部３３は、制御基板１８上の下方に位置し、その外周は、難燃性部材で成形されているターミナルカバー３４で覆う構成となっている。前記構成は、底誘導加熱コイル６と制御
基板１８の接続部３３は大電流接続部であり、水の付着、接続不良等の異常事態により接続部３３から発火が生じた場合においても、その外周を難燃性で覆うことで、接続部３３からの炊飯器本体１への拡大延焼を防止する意図でとられている。
【００４４】
また、図３に示すように、基板ベース１９には、底誘導加熱コイル６と制御基板１８の接続部３３の上方にも水受け部３５を設け、その側面部に排水路３６を設けている。
【００４５】
以上のように構成された本実施の形態における炊飯器について、炊飯器の落下等の異常事態で、上枠３の制御基板１８の上方に位置する部分にクラックが発生し、そのクラック部（図示せず）から水が浸入した場合の動作、作用を説明する。
【００４６】
上枠３に発生したクラック部から侵入した水は、まず、基板ベース１９の水受け部２７に滴下する。水受け部２７は、基板ベース１９の背面側（炊飯器本体１の前側）を下方とする傾斜面で構成され、基板ベース１９の背面方向以外の外周部に凸リブ２８を配設しているため、滴下した水は、水受け部２７から基板ベース１９の背面側に導かれる。
【００４７】
基板ベース１９の背面側に導かれた水の一部は、ファンモータ２５の制御基板２６上方部及び制御基板１８の固定のために設けられている爪部とフック部の背面に成形金型構成により発生する穴３１の外周部近傍にも導かれるが、それぞれの排水ガイドリブ３０、３２に水が伝い、ファンモータ２５の制御基板２６に水が付着したり、穴３１に水が浸入することなく、基板ベース１９の背面下方に導かれる。なお、排水ガイドリブ３２の下端が、穴３１の下端よりも下方となるように設けられているのは、排水ガイドリブ３２を伝った水が排水ガイドリブ３２の下端から穴３１に表面張力により回り込み侵入しないようにするためである。
【００４８】
制御基板１８の下方には、大電流接続部である底誘導加熱コイル６との接続部３３があるが、その上方にも、水が回り込み侵入しないように基板ベース１９に水受け部３５を設け、さらに溜まった水が溢れないように排水路３６も設けているため、底誘導加熱コイル６との接続部３３の上方へ導かれた水は、接続部３３に侵入することなく基板ベース１９の背面下方へ導かれる。基板ベース１９の背面下方へと導かれた水は、基板ベース１９の下面と対向するボディ２に滴下し、ボディ２に設けられた排水口（図示しない）を介して炊飯器本体１の外側に排出される。
【００４９】
以上のように、上枠３のクラック部から侵入した水は、制御基板１８、ファンモータ２５の制御基板２６に付着することなく炊飯器本体１の外側に排出される。
【００５０】
以上のように本実施の形態における炊飯器においては、炊飯器の落下等の異常事態で、上枠３の制御基板１８の上方に位置する部分にクラックが発生した場合においても、制御基板１８およびファンモータ２５の制御基板２６、底誘導加熱コイル６と制御基板１８との接続部３３に水が付着することがなく、製品としての安全性を確実に確保することができる。
【００５１】
また、水受け部２７を、基板ベース１９の背面側（前記炊飯器本体１の前側）を下方とする傾斜面とすることにより、浸入した水の流路を基板ベース１９の背面側に限定することができることから、炊飯器本体１内部に設置する制御基板１８以外の充電部（例えば、電池基板）を基板ベース１９の側面の外側のスペースに設置することができるため、炊飯器本体１の前後方向の大きさを詰めることができ、炊飯器本体１のコンパクト化を実現できる。
【００５２】
また、本実施の形態においては、上枠３と制御基板１８の間に、保護枠５による制御基
板１８の取付け構成と水受け構成を必要としないため、炊飯器本体１における保護枠５の構成領域を、内鍋４の下方とボディ２および上枠３の連結部近傍に限定することができ、保護枠５の大幅な体積減少による炊飯器本体１のコスト削減を実現できる。
【００５３】
また、本実施の形態においては、基板ベース１９は、図１に示すように、保護枠５にネジ２０で固定されて、炊飯器の落下による衝撃をボディ２から直接受けない構成のため、制御基板１８と基板ベース１９の設置における鉛直方向の隙間を設ける必要がなくなり、炊飯器本体１の高さ方向での炊飯器本体１のコンパクト化を実現できる。
【００５４】
更には、前述と同様の理由で、基板ベース１９の基本肉厚を難燃性を確保できる肉厚に設定すれはよいため、保護枠５で、水受け部を構成した従来の炊飯器の水受け部肉厚の７０％程度の肉厚で、基板ベース１９を形成することができるようになり、炊飯器本体１の製品高さ方向での炊飯器本体１のコンパクト化を実現できる。
【００５５】
また、本実施の形態においては、基板ベース１９の制御基板設置面２２が略鉛直方向となるように炊飯器本体１に設置することにより、製品の落下等の異常事態で上枠３の制御基板１８の上方及び基板ベース１９の水受け部２７の両方にクラックが発生し、水が侵入した場合においても、侵入してきた水が制御基板１８上に停滞することなく、下方に流れ落ち、制御基板１８上の大電流部のショートの可能性を少なくすることができる。
【００５６】
（実施の形態２）
図６は、本発明の第２の実施の形態における炊飯器の基板ベースを背面から視た斜視図である。なお、上記第１の実施の形態における炊飯器と同一部分には、同一符号を付してその説明を省略する。
【００５７】
本実施の形態における炊飯器は、図６に示すように、基板ベース１９の上部に、制御基板１８の上面を覆う水受け部２７を設け、この水受け部２７は、基板ベース１９の水受け部２７の略中央部を頂点３７とし、両側面側を下方とする傾斜面で構成し、両側面方向以外の水受け部２７の外周部に凸リブ２８を配設したものである。
【００５８】
また、基板ベース１９の側面側には、水を側面部の下方へ導く排水ガイドリブ３８と、制御基板１８を固定するための爪部の上方を覆う排水ガイドリブ３９を、その下端が穴３１の下端より下方になるように設けたもので、その他の構成は実施の形態１と同様であるため、説明を省略する。
【００５９】
以上のように構成された本実施の形態における炊飯器について、炊飯器の落下等の異常事態で、上枠３の制御基板１８の上方に位置する部分にクラックが発生し、そのクラック部から水が浸入した場合を基にその動作、作用を説明する。
【００６０】
上枠３に発生したクラック部から侵入した水は、まず、基板ベース１９の水受け部２７に滴下する。水受け部２７は、基板ベース１９の水受け部２７の略中央部を頂点３７とし、両側面側を下方とする傾斜面で構成され、両側面方向以外の外周部に凸リブ２８を配設しているため、滴下した水は、水受け部２７から基板ベース１９の両側の側面に導かれる。基板ベース１９の側面に導かれた水は、排水ガイドリブ３８の間を流れるか、もしくは排水ガイドリブ３８を伝い、側面の下方へ導かれ、制御基板１８を固定するための爪部の上方まで導かれるが、導かれた水は、排水ガイドリブ３９を伝い、爪部の穴３１に侵入することなく穴３１の下方へと導かれる。
【００６１】
なお、排水ガイドリブ３９の下端が、穴３１の下端よりも下方となるように設けられているのは排水ガイドリブ３９を伝った水が排水ガイドリブ３９の下端から穴３１に表面張
力により回り込み侵入しないようにするためである。なお、水受け部２７は、片方の側面を下方とする傾斜面で構成し、下方側の側面方向以外の水受け部２７に凸リブ２８を配設するようにしてもよい。
【００６２】
その他の動作、作用は、上記実施の形態１と同様であるため、省略する。
【００６３】
以上のように本実施の形態においては、炊飯器の落下等の異常事態で、上枠３の制御基板１８の上方に位置する部分にクラックが発生した場合においても、制御基板１８およびファンモータ２５の制御基板２６、底誘導加熱コイル６と制御基板１８との接続部３３に水が付着することがなく製品としての安全性を確保することができる。
【００６４】
また、水受け部２７を基板ベース１９の両側面側を下方とする傾斜面とすることにより、浸入した水の流路を、基板ベース１９の側面部に限定することができることから、炊飯器本体１内部に設置する制御基板１８以外の充電部（例えば、電池基板）を、基板ベース１９の側面の外側のスペースに設置することができるため、炊飯器本体１の左右方向の大きさを詰めることができ、炊飯器本体１のコンパクト化を実現できる。
【産業上の利用可能性】
【００６５】
以上のように、本発明にかかる炊飯器は、炊飯器本体の安全性を確保した状態で炊飯器本体のコスト削減およびコンパクト化が可能となるので、その他の調理機器等の用途にも適用できる。
【符号の説明】
【００６６】
１  炊飯器本体
３  上枠
３ａ  上面開口部
４  内鍋
５  保護枠
６  底誘導加熱コイル（加熱手段）
９  蓋体
１２  蓋体
１７  調理物
１８  制御基板
１９  基板ベース
２２  制御基板設置面
２７  水受け部
【図１】
2011218069.tif 000003
【図２】
2011218069.tif 000004
【図５】
2011218069.tif 000005
【図３】
2011218069.tif 000006
【図４】
2011218069.tif 000007
【図６】
2011218069.tif 000008